(57)【要約】【課題】研磨あるいは切断作業中に誤ってグラインダー本体が弾かれた場合でも、砥石の一部の周縁部を自動的に瞬時に覆うことによって、回転中の砥石が作業者に接触することによる負傷事故を最小限に止めることができる携帯用グラインダーを提供する。【解決手段】砥石２が取り付けられたグラインダー本体１と、グラインダー本体１に取り付けられた、砥石２の半周部分を覆う砥石カバー３とからなる携帯用グラインダーにおいて、砥石カバー３の、砥石２の入側に、砥石カバー３から露出した砥石２の一部の周縁部を覆う入側スライドカバー７と、砥石カバー３の、砥石２の出側に、砥石カバー３から露出した砥石２の一部の周縁部を覆う出側スライドカバー１０と、入側および出側スライドカバー７、１０を砥石カバー３に対して進退させるコイルスプリング９、１２を備え、入側および出側のスライドカバー７、１０は、これらに押し込み力が作用したときに、コイルスプリング９、１２の弾性力に抗して後退する。【選択図】図３
2010029986.tif 000002
【特許請求の範囲】
【請求項１】
砥石が取り付けられたグラインダー本体と、前記グラインダー本体に取り付けられた、前記砥石の少なくとも半周部分を覆う砥石カバーとからなる携帯用グラインダーにおいて、
前記砥石カバーの、前記砥石の入側に、前記砥石カバーから露出した前記砥石の一部の周縁部を覆う入側スライドカバーと、前記砥石カバーの、前記砥石の出側に、前記砥石カバーから露出した前記砥石の一部の周縁部を覆う出側スライドカバーと、前記入側および出側スライドカバーを前記砥石カバーに対して進退させる弾性手段とを備え、前記入側および出側のスライドカバーは、これらに押し込み力が作用したときに、前記弾性手段の弾性力に抗して後退することを特徴とする携帯用グラインダー。
【請求項２】
前記砥石カバーは、前記砥石の上面半分を覆う上面板と、前記砥石の側面半分を覆う側面板とからなっていることを特徴とする、請求項１に記載の携帯用グラインダー。
【請求項３】
前記砥石カバーは、前記砥石の上面半分を覆う上面板と、前記砥石の側面半分を覆う側面板と、前記砥石の下面半分を覆う下面板とからなっていることを特徴とする、請求項１に記載の携帯用グラインダー。
【請求項４】
前記入側スライドカバーは、前記砥石カバーと同一曲率で湾曲し、上面板および側面板をＬ字形に配したものからなり、前記出側スライドカバーは、前記砥石カバーと同一曲率で湾曲し、上面板および側面板をＬ字形に配したものからなり、前記入側および出側スライドカバーは、前記砥石カバーの前記上面板および前記側面板に沿ってスライドすることを特徴とする、請求項１から３の何れか１つに記載の携帯用グラインダー。
【請求項５】
前記入側スライドカバーは、前記砥石カバーと同一曲率で湾曲し、上面板、側面板および下面板をコ字形に配したものからなることを特徴とする、請求項４に記載の携帯用グラインダー。
【請求項６】
前記入側スライドカバーにおける前記上面板の、前記砥石の入側端部は、他の部分の幅より広くなっていることを特徴とする、請求項１から５の何れか１つに記載の携帯用グラインダー。
【請求項７】
前記入側スライドカバーにおける前記側面板の、前記砥石の入側端部は、斜めに切り欠かれていることを特徴とする、請求項１から６の何れか１つに記載の携帯用グラインダー。
【請求項８】
前記入側および出側スライドカバーの突出時の開口角は、１００°であり、後退時の開口角は、１３６°であることを特徴とする、請求項１から７の何れか１つに記載の携帯用グラインダー。
【発明の詳細な説明】
【技術分野】
【０００１】
この発明は、携帯用グラインダー、特に、研磨あるいは切断作業中に誤ってグラインダー本体が弾かれた場合でも、露出した砥石の一部の周縁部を自動的に瞬時に覆うことによって、回転中の砥石が作業者に接触することによる負傷事故を最小限に止めることができる携帯用グラインダーに関するものである。
【背景技術】
【０００２】
金属製部材の研磨や切断に携帯用グラインダーが広く使用されている。この種のグラインダーは、グラインダー本体の先端部の下部にグラインダー本体と平行に、電動モーター等により高速回転する円板状の砥石を取り付けたものからなっている。そして、グラインダー本体を手で持ち、金属製部材を研磨する場合には、砥石の下面を金属製部材の被研磨面にあてがって研磨作業を行い、一方、金属製部材を切断する場合には、砥石の周縁を金属製部材の切断箇所にあてがって切断作業を行っていた。
【０００３】
このような携帯用グラインダーにおいては、砥石の手元側の半周部分を覆う砥石カバーがグラインダー本体に取り付けられている。この砥石カバーは、研磨あるいは切断作業中に高速回転する砥石が何らかの原因により破損した際、その破損片が作業者側に飛散するのを防止するため、および、切粉が作業者側にかからないようにする等の機能を有している。
【０００４】
特許文献１（実開昭６１−１２７９６７号公報）に携帯用グラインダーの一例が開示されている。このグラインダーを従来グラインダーといい、図面を参照しながら説明する。
【０００５】
図９は、従来グラインダーを示す平面図、図１０は、従来グラインダーを示す側面図である。
【０００６】
図９および図１０に示すように、従来グラインダーは、圧縮空気により高速回転する砥石１４が先端部の下部に取り付けられたグラインダー本体１３と、グラインダー本体１３に取り付けられた、手元側の砥石１４の半周部分を覆う砥石カバー１５と、グラインダー本体１３に着脱可能に取り付けられた保護部材１６とからなっている。砥石カバー１５は、砥石１４の上面半分を覆う上面板１５Ａと砥石１４の側面半分を覆う側面板１５Ｂとからなり、ボルト１７によりグラインダー本体１３に固定されている。保護部材１６は、棒鋼をコ字状に折り曲げて外側取付部１６Ａと内側取付部１６Ｂとを形成したものからなり、外側取付部１６Ａは、砥石１４の周縁の外側に突出している。
【０００７】
このように構成されている従来グラインダーにより、金属製部材（Ｗ）の研磨作業を行う場合には、例えば、一方の手（左手）で金属製部材（Ｗ）を押え、他方の手（右手）でグラインダー本体１３を握り、金属製部材（Ｗ）に対して高速回転する砥石１４を移動させて、砥石１４の下面で金属製部材（Ｗ）の被研磨面を研磨する。この研磨作業中に、金属製部材（Ｗ）を押えた手に砥石１４が接近しても、砥石１４が手に接触する前に保護部材１６が手に当るので、砥石１４が手に接触することによる負傷事故を未然に防止することができる。
【０００８】
【特許文献１】実開昭６１−１２７９６７号公報
【発明の開示】
【発明が解決しようとする課題】
【０００９】
上記従来グラインダーによれば、保護部材１６は、棒鋼をコ字状に折り曲げたものからなっているので、砥石１４が遮蔽されず、砥石１４を上方から目視で容易に確認することができ、しかも、砥石１４が手に接近したときに、砥石１４より先に保護部材１６が手に接触するので、砥石１４の接触による作業者の負傷事故を砥石カバー１５のみの場合に比べて軽減することができる。しかしながら、以下のような問題があった。
【００１０】
従来グラインダーにより金属製部材（Ｗ）の切断作業を行う場合には、砥石１４を金属製部材（Ｗ）に深く入れる必要があることから、保護部材１６をグラインダー本体１３から取り外すが、切断作業中にグラインダー本体１３が弾かれて、これが手から離脱した場合には、砥石１４は、砥石カバー１５のみでしかカバーされていないので、その分、砥石１４との接触による作業者の負傷事故が起こりやすい。なお、グラインダー本体１３が弾かれて、これが手から離脱しない場合であっても、同様な負傷事故が起こる可能性があった。
【００１１】
従って、この発明の目的は、研磨あるいは切断作業中に誤ってグラインダー本体が弾かれた場合でも、砥石の一部の周縁部を自動的に瞬時に覆うことによって、回転中の砥石が作業者に接触することによる負傷事故を最小限に止めることができる携帯用グラインダーを提供することにある。
【課題を解決するための手段】
【００１２】
この発明は、上記目的を達成するためになされたものであって、下記を特徴とするものである。
【００１３】
請求項１に記載の発明は、砥石が取り付けられたグラインダー本体と、前記グラインダー本体に取り付けられた、前記砥石の少なくとも半周部分を覆う砥石カバーとからなる携帯用グラインダーにおいて、前記砥石カバーの、前記砥石の入側に、前記砥石カバーから露出した前記砥石の一部の周縁部を覆う入側スライドカバーと、前記砥石カバーの、前記砥石の出側に、前記砥石カバーから露出した前記砥石の一部の周縁部を覆う出側スライドカバーと、前記入側および出側スライドカバーを前記砥石カバーに対して進退させる弾性手段とを備え、前記入側および出側のスライドカバーは、これらに押し込み力が作用したときに、前記弾性手段の弾性力に抗して後退することに特徴を有するものである。
【００１４】
請求項２に記載の発明は、請求項１に記載の発明において、前記砥石カバーは、前記砥石の上面半分を覆う上面板と、前記砥石の側面半分を覆う側面板とからなっていることに特徴を有するものである。
【００１５】
請求項３に記載の発明は、請求項１に記載の発明において、前記砥石カバーは、前記砥石の上面半分を覆う上面板と、前記砥石の側面半分を覆う側面板と、前記砥石の下面半分を覆う下面板とからなっていることに特徴を有するものである。
【００１６】
請求項４に記載の発明は、請求項１から３の何れか１つに記載の発明において、前記入側スライドカバーは、前記砥石カバーと同一曲率で湾曲し、上面板および側面板をＬ字形に配したものからなり、前記出側スライドカバーは、前記砥石カバーと同一曲率で湾曲し、上面板および側面板をＬ字形に配したものからなり、前記入側および出側スライドカバーは、前記砥石カバーの前記上面板および前記側面板に沿ってスライドすることに特徴を有するものである。
【００１７】
請求項５に記載の発明は、請求項４に記載の発明において、前記入側スライドカバーは、前記砥石カバーと同一曲率で湾曲し、上面板、側面板および下面板をコ字形に配したものからなることに特徴を有するものである。
【００１８】
請求項６に記載の発明は、請求項１から５の何れか１つに記載の発明において、前記入側スライドカバーにおける前記上面板の、前記砥石の入側端部は、他の部分の幅より広くなっていることに特徴を有するものである。
【００１９】
請求項７に記載の発明は、請求項１から６の何れか１つに記載の発明において、前記入側スライドカバーにおける前記側面板の、前記砥石の入側端部は、斜めに切り欠かれていることに特徴を有するものである。
【００２０】
請求項８に記載の発明は、請求項１から７の何れか１つに記載の発明において、前記入側および出側スライドカバーの突出時の開口角は、１００°であり、後退時の開口角は、１３６°であることに特徴を有するものである。
【発明の効果】
【００２１】
この発明によれば、研磨あるいは切断作業中に誤ってグラインダー本体が弾かれた場合でも、スライドカバーが直ちに突出して、露出した砥石の一部の周縁部を自動的に瞬時に覆うので、回転する砥石が作業者に接触することによる負傷事故を最小限に止めることができる。
【発明を実施するための最良の形態】
【００２２】
この発明の携帯用グラインダーの一実施態様を、図面を参照しながら説明する。
【００２３】
図１は、この発明の携帯用グラインダーを示す平面図、図２は、この発明の携帯用グラインダーを示す側面図、図３は、図１のＡ矢視図、図４は、図１のＢ矢視図、図５は、砥石カバーを示す斜視図、図６は、入側スライドカバーを示す斜視図、図７は、出側スライドカバーを示す斜視図である。
【００２４】
図１から図７において、１は、グラインダー本体、２は、グラインダー本体１の先端部の下部にグラインダー本体１と平行に取り付けられた砥石であり、グラインダー本体１に内蔵された電動モーターにより、図３中、矢印方向に高速回転する。３は、グラインダー本体１に取り付けられた、手元側の砥石２の半周部分を覆う砥石カバーである。なお、砥石カバー３において、図３に示すように、砥石２が入り込む側（図中、右側）を砥石２の入側といい、砥石２が出る側（図中、左側）を砥石２の出側という。
【００２５】
砥石カバー３は、図５に示すように、砥石２の上面半分を覆う上面板３Ａと砥石２の側面半分を覆う側面板３Ｂとからなり、ボルト４によりグラインダー本体１に固定されている。側面板３Ｂの、砥石２の入側の外面には、後述する入側スライドカバーをガイドする２本のピン５Ａ、５Ｂが間隔をあけて固定され、側面板３Ｂの、砥石２の出側の外面には、後述する出側スライドカバーをガイドする２本のピン６Ａ、６Ｂが間隔をあけて固定されている。これらのピン５Ａ、５Ｂ、６Ａ、６Ｂは、それぞれ後述するスライドカバーの長孔に挿通される。各ピンの頭部は、スライドカバーがピンから抜け出ないように長孔の幅より大きく形成されている。
【００２６】
７は、砥石カバー３の、砥石２の入側に進退可能に取り付けられた入側スライドカバーであり、砥石カバー３から露出した砥石２の一部の周縁部を覆う。入側スライドカバー７は、上面板７Ａおよび側面板７ＢをＬ字形に配したものからなっている。このように、入側スライドカバー７は、Ｌ字形に形成され、砥石２の一部の周縁が覆われるので、切粉が作業者側にかかりにくいようになっている。
【００２７】
なお、入側スライドカバー７は、図１、図２、図４および図６中、二点鎖線で示すように、上面板７Ａ、側面板７Ｂおよび下面板７Ｃをコ字形に配したものであっても良く、下面板７Ｃを設けることにより、さらに、切粉が作業者側にかかりにくくなる。
【００２８】
入側スライドカバー７は、砥石カバー３と同一曲率で湾曲し、砥石カバー３の上面板３Ａおよび側面板３Ｂの外面に沿ってスライドする。なお、砥石２の入側端部の上面板７Ａの幅を、図示しないが、他の部分の幅よりさらに広く形成すれば、切粉が作業者側に、よりかかりにくくすることができる。側面板７Ｂの、砥石２の入側端は、切粉の通りを良くするために、図２中、（Ｓ）で示すように、斜めに切り欠かれている。側面板７Ｂには、その長手方向に間隔をあけて２個の長孔８Ａ、８Ｂが形成され、長孔８Ａ、８Ｂ内に上述したピン５Ａ、５Ｂが挿通されている。これにより、入側スライドカバー７は、長孔８Ａ、８Ｂの長さの範囲内において砥石カバー３に沿って円滑にスライドする。
【００２９】
側面板７Ｂの、砥石カバー３の中央寄り端部とピン５Ｂとの間には、弾性手段としてのコイルスプリング９が張り渡され、入側スライドカバー７に押し込み力が作用しない場合には、図３および図４中、実線で示すように、砥石カバー３の、砥石２の入側端から突出する。一方、入側スライドカバー７に押し込み力が作用した場合には、入側スライドカバー７は、同図中、二点鎖線で示すように、コイルスプリング９の弾性力に抗して後退する。
【００３０】
１０は、砥石カバー３の、砥石２の出側に進退可能に取り付けられた出側スライドカバーであり、砥石カバー３から露出した砥石２の一部の周縁部を覆う。出側スライドカバー１０は、上面板１０Ａおよび側面板１０ＢをＬ字形に配したものからなっている。このように、出側スライドカバー１０の形状を、入側スライドカバー７のようにコ字形ではなく、Ｌ字形にしたのは、砥石２の出側であるので、切粉の発生がなく、砥石２が作業者に接触しないようにすれば良いからである。
【００３１】
出側スライドカバー１０は、砥石カバー３と同一曲率で湾曲し、砥石カバー３の上面板３Ａおよび側面板３Ｂの外面に沿ってスライドする。側面板１０Ｂには、その長手方向に間隔をあけて２個の長孔１１Ａ、１１Ｂが形成され、長孔１１Ａ、１１Ｂ内に上述したピン６Ａ、６Ｂが挿通されている。これにより、出側スライドカバー１０は、長孔１１Ａ、１１Ｂの長さの範囲内において砥石カバー３に沿って円滑にスライドする。
【００３２】
側面板１０Ｂの、砥石カバー３の中央寄り端部とピン６Ｂとの間には、弾性手段としてのコイルスプリング１２が張り渡され、出側スライドカバー１０に押し込み力が作用しない場合には、図３および図４中、実線で示すように、砥石カバー３の、砥石２の入側端から突出する。一方、出側スライドカバー１０に押し込み力が作用した場合には、出側スライドカバー１０は、同図中、二点鎖線で示すように、コイルスプリング１２の弾性力に抗して後退する。
【００３３】
入側スライドカバー７と出側スライドカバー１０との開口角、すなわち、両スライドカバー９、１０の先端部の、砥石２の回転軸を中心とする開き角度は、長孔８Ａ、８Ｂ、１１Ａ、１１Ｂの長さを変える等して調整することができる。突出時の開口角が１００°、後退時の開口角が１３６°が好ましい。
【００３４】
以上のように構成されている、この発明の携帯用グラインダーにより、例えば、金属製部材を切断する場合には、グラインダー本体１を手で持ち、高速回転する砥石２の周縁を金属製部材の切断箇所にあてがう。この際、砥石２をさらに深く金属製部材に入れるために、グラインダー本体１を前進させると、入側および出側のスライドカバー７、１０の先端部が金属製部材に当接するが、これらは、コイルスプリング９、１２の弾性力に抗して後退するので、切断作業に支障は来たさない。
【００３５】
そして、切断作業中に、誤ってグラインダー本体１が弾かれた場合には、グラインダー本体１が手から離脱した場合も、離脱しない場合も、入側および出側のスライドカバー７、１０がコイルスプリング９、１２の弾性力によって直ちに突出して、露出した砥石２の一部の周縁部を自動的に瞬時に覆うので、砥石２の露出部分が少なくなり、この結果、高速回転する砥石２が作業者に接触することによる負傷事故を最小限に止めることができる。
【００３６】
以上は、この発明の携帯用グラインダーにより、金属製部材を切断する場合であるが、金属製部材を研磨する場合においても同様に、誤ってグラインダー本体１が弾かれた場合には、入側および出側のスライドカバー７、１０が直ちに突出して、露出した砥石２の一部の周縁部を自動的に瞬時に覆うので、高速回転する砥石２が作業者に接触することによる負傷事故を最小限に止めることができる。
【００３７】
なお、上記砥石カバー２は、砥石２の上面半分を覆う上面板３Ａと砥石２の側面半分を覆う側面板３Ｂとからなるものであるが、図８に示すように、砥石２の少なくとも半周部分を完全に覆うために、砥石２の上面半分を覆う上面板３Ａと砥石２の側面半分を覆う側面板３Ｂと砥石２の下面半分を覆う下面板３Ｃとからなるものであっても良い。また、砥石２の駆動源は、電動モーターであっても圧縮空気であっても良い。
【図面の簡単な説明】
【００３８】
【図１】この発明の携帯用グラインダーを示す平面図である。
【図２】この発明の携帯用グラインダーを示す側面図である。
【図３】図１のＡ矢視図である。
【図４】図１のＢ矢視図である。
【図５】砥石カバーを示す斜視図である。
【図６】入側スライドカバーを示す斜視図である。
【図７】出側スライドカバーを示す斜視図である。
【図８】別の砥石カバーを示す斜視図である。
【図９】従来グラインダーを示す平面図である。
【図１０】従来グラインダーを示す側面図である。
【符号の説明】
【００３９】
１：グラインダー本体
２：砥石
３：砥石カバー
３Ａ：上面板
３Ｂ：側面板
３Ｃ：下面板
４：ボルト
５Ａ：ピン
５Ｂ：ピン
６Ａ：ピン
６Ｂ：ピン
７：入側スライドカバー
７Ａ：上面板
７Ｂ：側面板
７Ｃ：下面板
８Ａ：長孔
８Ｂ：長孔
９：コイルスプリング
１０：出側スライドカバー
１０Ａ：上面板
１０Ｂ：側面板
１１Ａ：長孔
１１Ｂ：長孔
１２：コイルスプリング
【図１】
2010029986.tif 000003
【図２】
2010029986.tif 000004
【図３】
2010029986.tif 000005
【図４】
2010029986.tif 000006
【図５】
2010029986.tif 000007
【図６】
2010029986.tif 000008
【図７】
2010029986.tif 000009
【図８】
2010029986.tif 000010
【図９】
2010029986.tif 000011
【図１０】
2010029986.tif 000012